(57)【要約】【課題】製造に手数を要さず、材料及び製造コストを低廉にできるバースクリーン式除塵機を提供すること。【解決手段】レーキフレーム３０にレーキ板３Ｘを固定手段３０ａを用いて取り付けて構成し、レーキ板３Ｘを、バースクリーンＢのごみの捕捉面に対して直交した状態で駆動されるようにした、レーキフレーム３０の長手方向に分割した複数の板部材からなるレーキ板分割片３Ａ、３Ｂで構成し、レーキ板分割片３Ａ、３Ｂの端縁に、粗目用スクリーンバー１と細目用スクリーンバー２間及び細目用スクリーンバー２同士間に挿通されるレーキ爪となる凸部３Ｙを形成することにより、レーキ板分割片３Ａ、３Ｂの端縁と粗目用スクリーンバー１及び細目用スクリーンバー２各々とが噛み合うようにし、かつ、レーキ板分割片３Ａ、３Ｂを、隣接するレーキ板分割片３Ａ、３Ｂ間に隙間Ｄが存在するようにレーキフレーム３０に取り付けるとともに、隣接するレーキ板分割片３Ａ、３Ｂ間に粗目用スクリーンバー１が位置するようにする。【選択図】図１
2015010423.tif 000002
【特許請求の範囲】
【請求項１】
間隔をあけて配設した粗目バースクリーンを構成する粗目用スクリーンバー及び該粗目用スクリーンバーの間に配設した細目バースクリーンを構成する細目用スクリーンバーからなるバースクリーンと、該バースクリーンの周囲を周回駆動されるチェーンに取り付けられてバースクリーンの前側でバースクリーンにて捕捉されたごみを掻き揚げ排出するようにしたレーキとを備えたバースクリーン式除塵機において、前記レーキを、チェーンに取り付けたレーキフレームにレーキ板を固定手段を用いて取り付けて構成し、前記レーキ板を、バースクリーンのごみの捕捉面に対して直交した状態で駆動されるようにした、レーキフレームの長手方向に分割した複数の板部材からなるレーキ板分割片で構成し、該レーキ板分割片の端縁に、粗目用スクリーンバーと細目用スクリーンバー間及び細目用スクリーンバー同士間に挿通されるレーキ爪となる凸部を形成することにより、レーキ板分割片の端縁と粗目用スクリーンバー及び細目用スクリーンバー各々とが噛み合うようにし、かつ、レーキ板分割片を、隣接するレーキ板分割片間に隙間が存在するようにレーキフレームに取り付けるとともに、該隣接するレーキ板分割片間に粗目用スクリーンバーが位置するようにしたことを特徴とするバースクリーン式除塵機。
【請求項２】
レーキフレームにレーキ板を取り付けるための固定手段に、ボルトを用いたことを特徴とする請求項１記載のバースクリーン式除塵機。
【発明の詳細な説明】
【技術分野】
【０００１】
本発明は、バースクリーン式除塵機に関し、特に、必要とされる強度等の性能を維持しながら、製造コストを低廉にできる、粗目バースクリーン及び細目バースクリーンを備えたバースクリーン式除塵機に関するものである。
【背景技術】
【０００２】
従来、下水処理場や下水ポンプ場では、沈砂池の上流側に粗目のバースクリーン式除塵機を、その下流側に細目のバースクリーン式除塵機を設置し、それぞれのバースクリーン式除塵機のバースクリーンで捕捉したごみは、大きさや性状が異なるため、それぞれ別の系統で処理していた。
【０００３】
これに対して、粗目バースクリーン及び細目バースクリーンを備えたバースクリーン式除塵機が、実用化されている（特許文献１〜２参照。）。
【０００４】
このバースクリーン式除塵機は、図２に示すように、間隔をあけて配設した粗目バースクリーンＢ１と、粗目バースクリーンＢ１の間に配設した細目バースクリーンＢ２とからなるバースクリーンＢを備え、粗目バースクリーンＢ１を構成する粗目用スクリーンバー１の前端面が細目バースクリーンＢ２を構成する細目用スクリーンバー２の前端面より前方位置（水流の上流側）に突出するように配設するとともに、粗目用スクリーンバー１の板厚を細目用スクリーンバー２の板厚より厚く形成することにより、まず、粗目バースクリーンＢ１で粗ごみを捕捉し、その後、細目バースクリーンＢ２で細塵を捕捉するように構成されている。
【０００５】
また、粗目バースクリーンＢ１と細目バースクリーンＢ２とからなるバースクリーンＢに捕捉されたごみを掻き上げるレーキとして、図３に示すように、バースクリーンＢの周囲を周回駆動されるチェーン（図示省略。）に取り付けられてバースクリーンＢの前側でバースクリーンＢに捕捉されたごみを掻き揚げ排出するようにした、粗目用レーキ３１及び細目用レーキ３２をレーキフレーム３０に固定手段３０ａを用いて取り付けるようにしたレーキ３が用いられている。
そして、このレーキ３は、粗目用レーキ３１をごみの掻き揚げ時に粗目バースクリーンＢ１の粗目用スクリーンバー１間に挿通されるレーキ爪３１ａを端縁に形成し、粗目バースクリーンＢ１のごみの捕捉面に対して直交した状態で駆動されるようにした板部材で、細目用レーキ３２をごみの掻き揚げ時に粗目用レーキ３１の駆動方向の後方側の位置で細目バースクリーンＢ２の細目用スクリーンバー２間に挿通されて駆動されるようにした複数の板部材で、かつ、レーキフレーム３０の長手方向にそれぞれ分割して構成し、該分割して構成した粗目用レーキ３１の隣接する粗目用レーキ分割片３１Ａ、３１Ｂ、３１Ｃ間に隙間Ｄが存在するようにして、該粗目用レーキ分割片３１Ａ、３１Ｂ、３１Ｃをレーキフレーム３０に固定手段３０ａを用いて取り付け、ごみの掻き揚げ時に隣接する粗目用レーキ分割片３１Ａ、３１Ｂ、３１Ｃに形成された隣接するレーキ爪３１ａの間に粗目バースクリーンＢ１の粗目用スクリーンバー１が位置するようにされている。
【先行技術文献】
【特許文献】
【０００６】
【特許文献１】特許第３７６８５１８号公報
【特許文献２】特許第４８２４１３９号公報
【発明の概要】
【発明が解決しようとする課題】
【０００７】
ところで、従来のバースクリーン式除塵機は、１台のバースクリーン式除塵機で粗ごみ及び細塵を捕捉できるという利点を有する反面、資材コストが高くつき、これがバースクリーン式除塵機の製造コストの上昇に繋がっていた。
具体的には、レーキ３において、粗目用レーキ３１を板部材で、細目用レーキ３２を複数の縦方向の板部材で、個別に構成していたため、製造に手数を要するとともに、材料及び製造コストが高くつくという問題があった。
【０００８】
本発明は、上記従来のバースクリーン式除塵機の有する問題点に鑑み、製造に手数を要さず、材料及び製造コストを低廉にできるバースクリーン式除塵機を提供することを目的とする。
【課題を解決するための手段】
【０００９】
上記目的を達成するため、本発明のバースクリーン式除塵機は、間隔をあけて配設した粗目バースクリーンを構成する粗目用スクリーンバー及び該粗目用スクリーンバーの間に配設した細目バースクリーンを構成する細目用スクリーンバーからなるバースクリーンと、該バースクリーンの周囲を周回駆動されるチェーンに取り付けられてバースクリーンの前側でバースクリーンにて捕捉されたごみを掻き揚げ排出するようにしたレーキとを備えたバースクリーン式除塵機において、前記レーキを、チェーンに取り付けたレーキフレームにレーキ板を固定手段を用いて取り付けて構成し、前記レーキ板を、バースクリーンのごみの捕捉面に対して直交した状態で駆動されるようにした、レーキフレームの長手方向に分割した複数の板部材からなるレーキ板分割片で構成し、該レーキ板分割片の端縁に、粗目用スクリーンバーと細目用スクリーンバー間及び細目用スクリーンバー同士間に挿通されるレーキ爪となる凸部を形成することにより、レーキ板分割片の端縁と粗目用スクリーンバー及び細目用スクリーンバー各々とが噛み合うようにし、かつ、レーキ板分割片を、隣接するレーキ板分割片間に隙間が存在するようにレーキフレームに取り付けるとともに、該隣接するレーキ板分割片間に粗目用スクリーンバーが位置するようにしたことを特徴とする。
【００１０】
この場合において、レーキフレームにレーキ板を取り付けるための固定手段に、ボルトを用いることができる。
【発明の効果】
【００１１】
本発明のバースクリーン式除塵機によれば、レーキを、チェーンに取り付けたレーキフレームにレーキ板を固定手段を用いて取り付けて構成し、前記レーキ板を、バースクリーンのごみの捕捉面に対して直交した状態で駆動されるようにした、レーキフレームの長手方向に分割した複数の板部材からなるレーキ板分割片で構成し、該レーキ板分割片の端縁に、粗目用スクリーンバーと細目用スクリーンバー間及び細目用スクリーンバー同士間に挿通されるレーキ爪となる凸部を形成することにより、レーキ板分割片の端縁と粗目用スクリーンバー及び細目用スクリーンバー各々とが噛み合うようにし、かつ、レーキ板分割片を、隣接するレーキ板分割片間に隙間が存在するようにレーキフレームに取り付けるとともに、該隣接するレーキ板分割片間に粗目用スクリーンバーが位置するようにすることにより、粗目用レーキ及び細目用レーキを共通の板部材で製作することができ、レーキの製造及び調整に手数を要さず、材料及び製造コストを低廉にできる。
【００１２】
また、レーキフレームにレーキ板を取り付けるための固定手段に、ボルトを用いることにより、レーキの製造及び調整をより容易に行うことができる。
【図面の簡単な説明】
【００１３】
【図１】本発明のバースクリーン式除塵機にレーキの一実施例を示す斜視図である。
【図２】バースクリーン式除塵機の斜視図である。
【図３】従来のレーキを示す斜視図である。
【発明を実施するための形態】
【００１４】
以下、本発明のバースクリーン式除塵機の実施の形態を、図面に基づいて説明する。
【００１５】
本発明のバースクリーン式除塵機は、図２に示すように、間隔をあけて配設した粗目バースクリーンＢ１と、粗目バースクリーンＢ１の間に配設した細目バースクリーンＢ２とからなるバースクリーンＢを備え、粗目バースクリーンＢ１を構成する粗目用スクリーンバー１の前端面が細目バースクリーンＢ２を構成する細目用スクリーンバー２の前端面より前方位置（水流の上流側）に突出するように配設するとともに、粗目用スクリーンバー１の板厚を細目用スクリーンバー２の板厚より厚く形成することにより、まず、粗目バースクリーンＢ１で粗ごみを捕捉し、その後、細目バースクリーンＢ２で細塵を捕捉するように構成されている。
【００１６】
そして、粗目バースクリーンＢ１と細目バースクリーンＢ２とからなるバースクリーンＢに捕捉されたごみを掻き上げるレーキ３として、図１に示すように、チェーン（図示省略）に取り付けたレーキフレーム３０にレーキ板３Ｘを固定手段３０ａを用いて取り付けて構成し、レーキ板３Ｘを、バースクリーンＢのごみの捕捉面に対して直交した状態で駆動されるようにした、レーキフレーム３０の長手方向に分割した複数の板部材からなるレーキ板分割片３Ａ、３Ｂで構成し、レーキ板分割片３Ａ、３Ｂの端縁に、粗目用スクリーンバー１と細目用スクリーンバー２間及び細目用スクリーンバー２同士間に挿通されるレーキ爪となる凸部３Ｙを形成することにより、レーキ板分割片３Ａ、３Ｂの端縁と粗目用スクリーンバー１及び細目用スクリーンバー２各々とが噛み合うようにし、かつ、レーキ板分割片３Ａ、３Ｂを、隣接するレーキ板分割片３Ａ、３Ｂ間に隙間Ｄが存在するようにレーキフレーム３０に取り付けるとともに、隣接するレーキ板分割片３Ａ、３Ｂ間に粗目用スクリーンバー１が位置するようにしている。
【００１７】
この場合、レーキ板分割片３Ａ、３Ｂの端縁と粗目用スクリーンバー１及び細目用スクリーンバー２各々との噛み合いが確実になるように、すなわち、粗目バースクリーンＢ１を構成する粗目用スクリーンバー１の前端面が細目バースクリーンＢ２を構成する細目用スクリーンバー２の前端面より前方位置（水流の上流側）に突出するように配設されているバースクリーンＢの粗目用スクリーンバー１及び細目用スクリーンバー２各々が、レーキ板分割片３Ａ、３Ｂの端縁に入り込むように、レーキ板分割片３Ａ、３Ｂの端縁に形成された凸部３Ｙ間に形成される粗目用スクリーンバー１が入り込む粗目バースクリーン用凹部３Ｚ１の深さを、細目用スクリーンバー２が入り込む細目バースクリーン用凹部３Ｚ２の深さより大きく形成するようにしている。
【００１８】
また、レーキフレーム３０にレーキ板分割片３Ａ、３Ｂからなるレーキ板３Ｘを取り付けるための固定手段３０ａに、ボルト（ナット）を用いることができる。
これにより、レーキ３の製造及び調整をより容易に行うことができる。
【００１９】
このように、このバースクリーン式除塵機は、粗目用レーキ及び細目用レーキを個別の部材ではなく、共通の板部材であるレーキ板分割片３Ａ、３Ｂからなるレーキ板３Ｘで製作することができ、レーキの製造及び調整に手数を要さず、材料及び製造コストを低廉にできる。
そして、レーキ板分割片３Ａ、３Ｂからなるレーキ板３Ｘを、レーキフレーム３０に固定手段３０ａとしてのボルト（ナット）で取り付けることにより、レーキ爪となる凸部３Ｙが摩耗、変形等により交換が必要になった場合に、該当するレーキ板分割片３Ａ、３Ｂのみを交換すればよく、補修費を抑えることができる。
また、隣接するレーキ板分割片３Ａ、３Ｂ間に隙間Ｄが存在するようにレーキフレーム３０に取り付けるとともに、隣接するレーキ板分割片３Ａ、３Ｂ間に粗目用スクリーンバー１が位置するようにすることにより、レーキ板分割片３Ａ、３Ｂの位置を微調整することで、粗目バースクリーンＢ１の目幅Ｗとレーキ爪となる凸部３Ｙの位置調整を容易に行うことができる。
また、隣接するレーキ板分割片３Ａ、３Ｂ間の隙間Ｄに形成される粗目バースクリーン用凹部３Ｚ１に、粗目用スクリーンバー１が入り込むようにすることにより、当該隙間Ｄに細かい繊維状のごみが噛み込み、レーキ３がバースクリーンＢの上部で反転してもごみが落ちない問題を解消することができる。ここで、隣接するレーキ板分割片３Ａ、３Ｂ間の隙間Ｄに細目用スクリーンバー２が入り込むようにすると、当該隙間Ｄに細目用スクリーンバー２によって捕捉される細かい繊維状のごみが噛み込むおそれがあるため、隙間Ｄに、粗目バースクリーン用凹部３Ｚ１を形成するようにしている。
【００２０】
以上、本発明のバースクリーン式除塵機について、その実施例に基づいて説明したが、本発明は上記実施例に記載した構成に限定されるものではなく、その趣旨を逸脱しない範囲において適宜その構成を変更することができるものである。
【産業上の利用可能性】
【００２１】
本発明のバースクリーン式除塵機は、製造に手数を要さず、材料及び製造コストを低廉にできることから、バースクリーン式除塵機の用途に広くに用いることができる。
【符号の説明】
【００２２】
Ｂ  バースクリーン
Ｂ１  粗目バースクリーン
Ｂ２  細目バースクリーン
Ｄ  隙間
１  粗目用スクリーンバー
２  細目用スクリーンバー
３  レーキ
３Ｘ  レーキ板
３Ａ  レーキ板分割片
３Ｂ  レーキ板分割片
３Ｙ  凸部
３Ｚ１  粗目バースクリーン用凹部
３Ｚ２  細目バースクリーン用凹部
３０  レーキフレーム
３０ａ  固定手段
【図１】
2015010423.tif 000003
【図２】
2015010423.tif 000004
【図３】
2015010423.tif 000005